(57)【要約】【課題】  本発明は、例えば、広画角、高ズーム比、小型軽量、および全ズーム範囲に渡る高い光学性能の点で有利なズームレンズを提供することを目的とする。【解決手段】  ズームレンズは、物体側から像側へ順に、変倍のためには移動しない正の屈折力を有する第１レンズ群と、変倍のために移動する負の屈折力を有する第２レンズ群と、少なくとも１つのレンズ群を含む後群とからなり、前記第１レンズ群は、６枚以上のレンズで構成され、前記第１レンズ群の最も物体側のレンズは、負レンズであり、前記負レンズの焦点距離およびｄ線基準のアッベ数をそれぞれｆ１ｎおよびν１ｎとし、前記第１レンズ群の焦点距離をｆ１として、  −１．６５＜ｆ１ｎ／ｆ１＜−１．１０  ３７＜ν１ｎ＜４８なる条件式を満足することを特徴とする。【選択図】  図１
2019148758.tif 000002
【特許請求の範囲】
【請求項１】
物体側から像側へ順に、変倍のためには移動しない正の屈折力を有する第１レンズ群と、変倍のために移動する負の屈折力を有する第２レンズ群と、少なくとも１つのレンズ群を含む後群とからなるズームレンズであって、
前記第１レンズ群は、６枚以上のレンズで構成され、前記第１レンズ群の最も物体側のレンズは、負レンズであり、前記負レンズの焦点距離およびｄ線基準のアッベ数をそれぞれｆ１ｎおよびν１ｎとし、前記第１レンズ群の焦点距離をｆ１として、
−１．６５＜ｆ１ｎ／ｆ１＜−１．１０
３７＜ν１ｎ＜４８
なる条件式を満足することを特徴とするズームレンズ。
【請求項２】
前記第１レンズ群は、物体側から像側へ順に、合焦のためには移動しない第１１レンズ群と、合焦のために移動する第１２レンズ群とから構成されていることを特徴とする請求項１に記載のズームレンズ。
【請求項３】
前記第１レンズ群を構成する正レンズのｄ線基準のアッベ数の平均値をνｐａｖｅとして、
８０＜νｐａｖｅ＜１００
なる条件式を満足することを特徴とする請求項１または２に記載のズームレンズ。
【請求項４】
前記第１レンズ群を構成する正レンズのｄ線基準のアッベ数の平均値および前記第１レンズ群を構成する負レンズのｄ線基準のアッベ数の平均値をそれぞれνｐａｖｅおよびνｎａｖｅとし、前記第１レンズ群を構成する正レンズの部分分散比の平均値および前記第１レンズ群を構成する負レンズの部分分散比の平均値をそれぞれθｐａｖｅおよびθｎａｖｅとして、
−９．０×１０-4＜（θｐａｖｅ−θｎａｖｅ）／（νｐａｖｅ−νｎａｖｅ）
＜−３．０×１０-4
なる条件式を満足することを特徴とする請求項１乃至３のうちいずれか1項に記載のズームレンズ。
但し、ｇ線での屈折率をＮｇとし、Ｆ線での屈折率をＮＦとし、Ｃ線での屈折率をＮＣとし、ｄ線での屈折率をＮｄして、部分分散比θおよびｄ線基準のアッベ数νｄは、それぞれ
θ＝（Ｎｇ−ＮＦ）／（ＮＦ−ＮＣ）および
νｄ＝（Ｎｄ−１）／（ＮＦ−ＮＣ）
なる式で表される。
【請求項５】
前記第１１レンズ群は、物体側から像側へ順に、前記負レンズとしての第１ｎレンズと、正の屈折力を有する第２ｐレンズと、正の屈折力を有する第３ｐレンズとを有することを特徴とする請求項２記載のズームレンズ。
【請求項６】
前記第１ｎレンズは、両凹レンズであることを特徴とする請求項５に記載のズームレンズ。
【請求項７】
前記第１ｎレンズの焦点距離をｆ１ｎとし、前記第２ｐレンズの焦点距離をｆ２ｐとし、前記第３ｐレンズの焦点距離をｆ３ｐとして、
−０．９＜ｆ１ｎ／ｆ２ｐ＜−０．３
−０．８０＜ｆ１ｎ／ｆ３ｐ＜−０．１５
なる条件式を満足することを特徴とする請求項５または６に記載のズームレンズ。
【請求項８】
前記ズームレンズの望遠端での焦点距離をｆｔとして、
２．０＜ｆｔ／ｆ１＜６．０
なる条件式を満足することを特徴とする請求項１乃至７のうちいずれか1項に記載のズームレンズ。
【請求項９】
請求項１乃至８のうちのいずれか１項に記載のズームレンズと、
前記ズームレンズによって形成された像を受ける撮像素子と、
を有することを特徴とする撮像装置。
【発明の詳細な説明】
【技術分野】
【０００１】
本発明は、ズームレンズ及び撮像装置に関する。
【背景技術】
【０００２】
近年、テレビカメラや映画用カメラ、写真用カメラ等の撮像装置には、広画角、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。
【０００３】
広画角、高ズーム比のズームレンズとして、物体側から順に正の屈折力の第１レンズ群、変倍用の負の屈折力の第２レンズ群を配置したポジティブリード型のズームレンズが知られている。特許文献１では、変倍比９０〜１２０のズームレンズが開示されており、物体側から順に、正の屈折力の第１レンズ群、負の屈折力の第２レンズ群を有し、第１レンズ群が６枚のレンズで構成されている。また、特許文献２では、変倍比２０程度のズームレンズが開示されており、物体側から順に、正の屈折力の第１レンズ群、負の屈折力の第２レンズ群を有し、第１レンズ群が６枚のレンズで構成されている。
【先行技術文献】
【特許文献】
【０００４】
【特許文献１】特開２０１２−２２０９０１号公報
【特許文献２】特開２０１６−７１１４０号公報
【発明の概要】
【発明が解決しようとする課題】
【０００５】
前述した構成のポジティブリード型のズームレンズにおいて、高い光学性能と広画角化、小型化を両立するためには、第１レンズ群のレンズ構成や屈折力、硝材を適切に設定することが重要である。更なる広画角化、高倍率化と小型化を両立しようとした場合、特に望遠端の色収差補正が不足し、画面中心から画面周辺まで良好な光学性能を達成することが困難になる。
【０００６】
特許文献１に開示されているズームレンズにおいて、第１レンズ群を構成する各レンズの屈折力や硝材では、更なる広画角化、高倍率化を達成する場合、望遠端の色収差補正が不足する傾向がある。また、特許文献２に開示されているズームレンズは、変倍比２０程度であり、変倍比４０を超えるズームレンズに対して、第１レンズ群を構成する各レンズの屈折力や硝材が最適では無い。本発明は、例えば、広画角、高ズーム比、小型軽量、および全ズーム範囲に渡る高い光学性能の点で有利なズームレンズを提供することを目的とする。
【課題を解決するための手段】
【０００７】
上記目的を達成するために、本発明のズームレンズは、物体側から像側へ順に、変倍のためには移動しない正の屈折力を有する第１レンズ群と、変倍のために移動する負の屈折力を有する第２レンズ群と、少なくとも１つのレンズ群を含む後群とからなるズームレンズであって、前記第１レンズ群は、６枚以上のレンズで構成され、前記第１レンズ群の最も物体側のレンズは、負レンズであり、前記負レンズの焦点距離およびｄ線基準のアッベ数をそれぞれｆ１ｎおよびν１ｎとし、前記第１レンズ群の焦点距離をｆ１として、
−１．６５＜ｆ１ｎ／ｆ１＜−１．１０
３７＜ν１ｎ＜４８
なる条件式を満足することを特徴とする。
【発明の効果】
【０００８】
本発明によれば、例えば、広画角、高ズーム比、小型軽量、および全ズーム範囲に渡る高い光学性能の点で有利なズームレンズを提供することができる。
【図面の簡単な説明】
【０００９】
【図１】数値実施例１の広角端において無限遠合焦時のレンズ断面図
【図２】数値実施例１の広角端（ａ）、ｆ＝１００ｍｍ（ｂ）、望遠端（ｃ）で無限遠合焦時の収差図
【図３】数値実施例２の広角端において無限遠合焦時のレンズ断面図
【図４】数値実施例２の広角端（ａ）、ｆ＝１００ｍｍ（ｂ）、望遠端（ｃ）で無限遠合焦時の収差図
【図５】数値実施例３の広角端において無限遠合焦時のレンズ断面図
【図６】数値実施例３の広角端（ａ）、ｆ＝１００ｍｍ（ｂ）、望遠端（ｃ）で無限遠合焦時の収差図
【図７】数値実施例４の広角端において無限遠合焦時のレンズ断面図
【図８】数値実施例４の広角端（ａ）、ｆ＝１００ｍｍ（ｂ）、望遠端（ｃ）で無限遠合焦時の収差図
【図９】数値実施例５の広角端において無限遠合焦時のレンズ断面図
【図１０】数値実施例５の広角端（ａ）、ｆ＝１００ｍｍ（ｂ）、望遠端（ｃ）で無限遠合焦時の収差図
【図１１】数値実施例６の広角端において無限遠合焦時のレンズ断面図
【図１２】数値実施例６の広角端（ａ）、ｆ＝１００ｍｍ（ｂ）、望遠端（ｃ）で無限遠合焦時の収差図
【図１３】数値実施例７の広角端において無限遠合焦時のレンズ断面図
【図１４】数値実施例７の広角端（ａ）、ｆ＝６５ｍｍ（ｂ）、望遠端（ｃ）で無限遠合焦時の収差図
【図１５】数値実施例８の広角端において無限遠合焦時のレンズ断面図
【図１６】数値実施例８の広角端（ａ）、ｆ＝１００ｍｍ（ｂ）、望遠端（ｃ）で無限遠合焦時の収差図
【図１７】数値実施例１の広角端（ａ）、望遠端（ｂ）で最至近物体距離に合焦時の光路図
【図１８】正レンズ群の軸上色収差の２色の色収差補正と２次スペクトル残存に関する模式図
【図１９】本発明の撮像装置の要部概略図
【発明を実施するための形態】
【００１０】
以下に、本発明の好ましい実施の形態を、添付の図面に基づいて詳細に説明する。
まず、本発明のズームレンズの特徴について、各条件式に沿って説明する。本発明のズームレンズは、広画角、高ズーム比、小型軽量で全ズーム範囲に渡り高い光学性能を達成したズームレンズを達成するために、第１レンズ群のレンズ構成や屈折力、硝材を規定している。
【００１１】
本発明のズームレンズ及びそれを有する撮像装置は、物体側から像側へ順に、正の屈折力の第１レンズ群、負の屈折力の第２レンズ群、少なくとも１群以上のレンズ群を含む後群を有するズームレンズにおいて、前記第１レンズ群は変倍のためには移動せず、前記第２レンズ群は変倍のために移動し、前記第１レンズ群は６枚以上のレンズで構成され、前記第１レンズ群の最も物体側のレンズは負の屈折力の第１ｎレンズであり、前記第１ｎレンズの焦点距離、ｄ線基準のアッベ数をそれぞれｆ１ｎ、ν１ｎ、前記第１レンズ群の焦点距離をｆ１とするとき、
−１．６５＜ｆ１ｎ／ｆ１＜−１．１０  ・・・（１）
３７＜ν１ｎ＜４８  ・・・（２）
を満たしている。本発明の第１レンズ群を前述した構成とすることによる光学的作用について説明する。まず、本発明の第１レンズ群は、最も物体側に負の屈折力を持った第１ｎレンズを配置している。図１７は、数値実施例１の広角端（ａ）、望遠端（ｂ）で最至近物体距離に合焦時の光路図を示している。図１３からわかるように、最もレンズ径の大きい第１ｎレンズのレンズ径は、広角端、最至近物体距離における軸外光線で決まっている。そのため、広画角化を図ろうとすると、第１ｎレンズのレンズ径は増大する傾向である。そこで、本発明では、第１レンズ群の最も物体側に負レンズを配置することにより、ズームレンズの入射瞳を物体側に押し出すことで、広画角化に伴う第１ｎレンズ群のレンズ径増大の抑制を図っている。さらに、本発明の第１レンズ群は、６枚以上のレンズで構成することを特徴としている。前述したように、負レンズである第１ｎレンズの屈折力を強くするほど、入射瞳を物体側に押し出す効果は強くなり、第１ｎレンズのレンズ径の小型化には有利である。第１ｎレンズの屈折力が強くなると、第１レンズ群を構成する正レンズの屈折力が強くなる。そのため、レンズ枚数を６枚以上にすることで、第１レンズ群を構成する各レンズ群の屈折力を適切に分担させることが可能になり、全ズーム範囲で高い光学性能を達成することができる。
【００１２】
また、（１）式は、第１レンズ群の最も物体側のレンズである第１ｎレンズと第１レンズ群の焦点距離の比を規定している。（２）式は、第１１レンズ群の最も物体側のレンズである第１ｎレンズのアッベ数を規定している。（１）、（２）式の条件は、ズームレンズの広画角化と高倍率化、小型化を達成しつつ、望遠端の色収差を良好に補正するために規定している。（１）式の上限が満たされないと、第１レンズ群に対して第１ｎレンズの屈折力が強くなるため、望遠端の球面収差の高次収差が増大し、良好な光学性能の達成が困難となる。逆に（１）式の下限の条件が満たされないと、第１レンズ群に対して第１ｎレンズの屈折力が弱くなるため、前述した第１ｎレンズ群の小型化の効果が弱くなり、ズームレンズの小型化が困難となる。また、第１ｎレンズ群の屈折力が弱いと、第１レンズ群を構成する正レンズで発生する色収差の補正効果が弱くなり、望遠端の色収差補正が不足する。（２）式の上限が満たされないと、第１レンズ群を構成する正レンズと負レンズのアッベ数の差が小さくなり、第１レンズ群を構成する各レンズの屈折力が強くなる。その結果、望遠端の球面収差の高次収差が増大し、良好な光学性能の達成が困難となる。逆に（２）式の下限の条件が満たされないと、第１レンズ群を構成する正レンズと負レンズのアッベ数の差が大きくなり、第１ｎレンズの屈折力が弱くなる。そのため、第１レンズ群を構成する正レンズで発生する色収差の補正効果が弱くなり、望遠端の色収差補正が不足する。更に好ましくは、（１）式は次の如く設定するのが良い。
−１．６３＜ｆ１ｎ／ｆ１＜−１．１５  ・・・（１ａ）
【００１３】
更なる本発明のズームレンズの態様として、第１レンズ群は物体側から像側へ順に、合焦のためには移動しない第１１レンズ群、合焦のために移動する第１２レンズ群から構成されることを特徴としている。このように、第１レンズ群内に合焦のために移動するレンズ群を設けることにより、全ズーム範囲において、合焦時の第１２レンズ群の移動量を一定することが可能となる。
【００１４】
更なる本発明のズームレンズの態様として、第１レンズ群を構成する正レンズのアッベ数を規定している。第１レンズ群を構成する正レンズのｄ線基準のアッベ数の平均値をνｐａｖｅとしたとき、
８０＜νｐａｖｅ＜１００  ・・・（３）
を満たしている。（３）式の条件は、望遠端の軸上色収差の補正と高い光学性能を達成するために規定している。（３）式の上限が満たされないと、低分散の硝材を製造することが困難となる。逆に（３）式の下限の条件が満たされないと、第１レンズ群を構成する正レンズと負レンズのアッベ数の差が小さくなり、第１レンズ群を構成する各レンズの屈折力が強くなる。その結果、望遠端の球面収差の高次収差が増大し、良好な光学性能の達成が困難となる。更に好ましくは、（３）式は次の如く設定するのが良い。
８７＜νｐａｖｅ＜９７  ・・・（３ａ）
【００１５】
更なる本発明のズームレンズの態様として、第１レンズ群内に使用する光学材料の部分分散比を規定している。第１レンズ群を構成する正レンズ及び負レンズのｄ線基準のアッベ数の平均値をそれぞれνｐａｖｅ、νｎａｖｅ、第１レンズ群を構成する正レンズ及び負レンズの部分分散比をそれぞれθｐａｖｅ、θｎａｖｅとしたとき、
−９．０×１０-4＜（θｐａｖｅ−θｎａｖｅ）／（νｐａｖｅ−νｎａｖｅ）
＜−３．０×１０-4  ・・・（４）
を満たしている。
【００１６】
ここで、本発明で用いている光学素子（レンズ）の材料のアッベ数と部分分散比は以下の通りである。フラウンフォーファ線のｇ線（４３５．８ｎｍ）、Ｆ線（４８６．１ｎｍ）、ｄ線（５８７．６ｎｍ）、Ｃ線（６５６．３ｎｍ）における屈折率をそれぞれＮｇ、ＮＦ、Ｎｄ、ＮＣとすると、アッベ数νｄ、ｇ線とＦ線に関する部分分散比θｇＦは以下の通りである。
νｄ＝（Ｎｄ−１）／（ＮＦ−ＮＣ）  ・・・（ａ）
θｇＦ＝（Ｎｇ−ＮＦ）／（ＮＦ−ＮＣ）  ・・・（ｂ）
【００１７】
現存する光学材料は、アッベ数νｄに対して部分分散比θｇＦは狭い範囲に存在する。また、アッベ数νｄが小さいほど部分分散比θｇＦが大きい、アッベ数νｄが大きいほど屈折率が低い傾向を持っている。ここで、屈折力φ１、φ２、アッベ数ν１、ν２の２枚のレンズ１、２で構成される薄肉密着系の色収差補正条件は、
φ１／ν１＋φ２／ν２＝Ｅ  ・・・（ｃ）
で表される。ここで、レンズ１、２の合成屈折力φは、
φ＝φ１＋φ２  ・・・（ｄ）
である。（ｃ）式において、Ｅ＝０を満たすと、色収差においてＣ線とＦ線の結像位置が一致する。このとき、φ１、φ２は以下の式で表される。
φ１＝φ×ν１／（ν１−ν２）  ・・・（ｅ）
φ２＝φ×ν２／（ν１−ν２）  ・・・（ｆ）
【００１８】
図１８は正の屈折力のレンズ群ＬＰによる軸上色収差の２色の色収差補正と２次スペクトルの残存に関する模式図である。図１８において、正レンズ１にアッベ数ν１の大きい材料、負レンズ２にアッベ数ν２の小さい材料を用いる。したがって、正レンズ１は部分分散比θ１が小さく、負レンズ２は部分分散比θ２が大きくなり、Ｃ線とＦ線で軸上色収差を補正するとｇ線の結像点が像側にずれる。物体距離を無限遠として光束を入射した場合のＣ線、Ｆ線に対するｇ線の軸上色収差のズレ量を２次スペクトル量ΔＳと定義すると、
ΔＳ＝−（１／φ）×（θ１−θ２）／（ν１−ν２）  ・・・（ｇ）
で表される。望遠端の軸上色収差の２次スペクトルを良好に補正するには、２次スペクトルが顕著に発生する第１レンズ群の発生量を調節する必要がある。第１レンズ群は正の屈折力を持っており、望遠端の軸上色収差の２次スペクトルを良好に補正するためには、第１レンズ群で発生する２次スペクトル量ΔＳを小さくするような硝材を選択する必要がある。
【００１９】
（４）式の条件は、望遠端の軸上色収差の補正と高い光学性能を達成するために規定している。（４）式の上限の条件が満たされないと、望遠端の軸上色収差の２次スペクトルの補正には有利だが、第１レンズ群を構成する正レンズと負レンズのアッベ数の差が小さくなり、第１レンズ群を構成する各レンズの屈折力が強くなる。その結果、望遠端の球面収差の高次収差が増大し、良好な光学性能の達成が困難となる。逆に（４）式の下限の条件が満たされないと、望遠端の軸上色収差の２次スペクトルが増加し、望遠端の色収差を良好に補正することが困難となる。更に好ましくは、（４）式は次の如く設定するのが良い。
−８．０×１０-4＜（θｐａｖｅ−θｎａｖｅ）／（νｐａｖｅ−νｎａｖｅ）
＜−３．５×１０-4  ・・・（４ａ）
【００２０】
更なる本発明のズームレンズの態様として、第１１レンズ群は物体側から像側へ順に負の屈折力の第１ｎレンズ、正の屈折力の第２ｐレンズ、正の屈折力の第３ｐレンズを有することを特徴としている。第１１レンズ群の物体側に負レンズ、像側に正レンズを配置し、レトロフォーカスの構成とすることで、第１レンズ群の像側主点を像側に押し出しつつ、ズームレンズの入射瞳を物体側に押し出すことことが可能となる。そのため、広画角化に伴う第１１レンズ群のレンズ径の増大を抑制し、ズームレンズの小型化に有利である。
【００２１】
更なる本発明のズームレンズの態様として、第１ｎレンズは両凹レンズであることを特徴としており、第１ｎレンズの像側の曲率半径を小さくし過ぎずに、第１ｎレンズに適切な屈折力を設定することが可能となる。第１ｎレンズの像側の曲率半径が小さくなると、第１ｎレンズと第２ｐレンズの空気間隔が望遠端の球面収差に対して敏感になるため、レンズの肉厚等の製造誤差による影響を受けやすくなる。
【００２２】
更なる本発明のズームレンズの態様として、第１レンズ群を構成している各レンズの屈折力を規定している。第１ｎレンズ、第２ｐレンズ、第３ｐレンズの焦点距離をそれぞれｆ１ｎ、ｆ２ｐ、ｆ３ｐとしたとき、
−０．９＜ｆ１ｎ／ｆ２ｐ＜−０．３  ・・・（５）
−０．８０＜ｆ１ｎ／ｆ３ｐ＜−０．１５  ・・・（６）
を満たしている。（５）、（６）式は、ズームレンズの小型化と望遠端において高い光学性能を達成するために規定している。（５）式の上限が満たされないと、第２ｐレンズの屈折力が弱くなるため、第１ｎレンズの像側の曲率半径と第２ｐレンズの物体側の曲率半径が大きくなり、望遠端の球面収差の補正が不足する。逆に（５）式の下限の条件が満たされないと、第２ｐレンズに対して第１ｎレンズの屈折力が弱くなるため、広画角化に伴う第１ｎレンズ群のレンズ径増大の抑制が困難となる。（６）式の上限が満たされないと、第３ｐレンズの屈折力が弱くなる結果、第２ｐレンズの屈折力が強くなる。そのため、第１ｎレンズの像側の曲率半径と第２ｐレンズの物体側の曲率半径が小さくなり、望遠端における球面収差の高次収差の補正が困難となる。逆に（６）式の下限の条件が満たされないと、第３ｐレンズに対して第１ｎレンズの屈折力が弱くなるため、広画角化に伴う第１ｎレンズ群のレンズ径増大の抑制が困難となる。更に好ましくは、（５）、（６）式は次の如く設定するのが良い。
−０．８＜ｆ１ｎ／ｆ２ｐ＜−０．４  ・・・（５ａ）
−０．６０＜ｆ１ｎ／ｆ３ｐ＜−０．２０  ・・・（６ａ）
【００２３】
更なる本発明のズームレンズの態様として、第１レンズ群の焦点距離と望遠端の焦点距離の比を規定している。第１レンズ群の焦点距離をｆ１、ズームレンズの望遠端の焦点距離をｆｔとしたとき、
２．０＜ｆｔ／ｆ１＜６．０  ・・・（７）
を満たしている。（７）式の条件は、高倍率化を達成しながら軸上色収差を良好に補正するために規定している。（７）式の上限の条件が満たされないと、ズームレンズの小型化には有利であるが、望遠端の光学性能、特に軸上色収差を良好に補正することが困難となってくる。逆に（７）式の下限の条件が満たされないと、第１レンズ群の焦点距離が増大して、ズームレンズの高倍率化と小型化の両立が困難となってくる。更に好ましくは、（７）式は次の如く設定するのが良い。
２．３＜ｆｔ／ｆ１＜５．０  ・・・（７ａ）
【００２４】
さらに、本発明の撮像装置は、各実施例のズームレンズとズームレンズによって形成された像を受ける所定の有効撮像範囲を有する固体撮像素子を有することを特徴とする。
【００２５】
なお、本発明の第１レンズ群の最も物体側に保護フィルタおよび保護フィルタ相当のレンズを装着しても良い。保護フィルタおよび保護フィルタ相当の焦点距離をｆｆとしたとき、
｜ｆ１／ｆｆ｜＜１．０×１０-4  ・・・（８）
を満たす保護フィルタおよび保護フィルタ相当のレンズは第１レンズ群には含めない。
【００２６】
以下に本発明のズームレンズの具体的な構成について、実施例１〜８に対応する数値実施例１〜８のレンズ構成の特徴により説明する。
【実施例１】
【００２７】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離１００ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００２８】
図１において、物体側から順に、合焦のために移動する正の屈折力の第１レンズ群Ｌ１を有している。さらに、広角端から望遠端への変倍のために、像側へ移動する負の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する正の屈折力の第４レンズ群Ｌ４を有している。さらに、変倍のためには移動しない結像作用をする第５レンズ群Ｌ５を有している。本実施例では、後群は第３レンズ群Ｌ３から第５レンズ群Ｌ５に相当する。
【００２９】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。Ｐは色分解プリズムや光学フィルタを示すガラスブロックである。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００３０】
縦収差図において、球面収差における実線、二点鎖線、一点鎖線、破線は各々ｅ線、ｇ線、Ｃ線、Ｆ線である。非点収差における破線と実線は各々メリディオナル像面、サジタル像面であり、倍率色収差における二点鎖線、一点鎖線、破線は各々ｇ線、Ｃ線、Ｆ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００３１】
第１レンズ群Ｌ１は第１面から第１２面に対応する。第２レンズ群Ｌ２は、第１３面から第１９面、第３レンズ群Ｌ３は、第２０面から第２５面に、第４レンズ群Ｌ４は、第２６面から第３０面に対応している。第５レンズ群Ｌ５は、第３１面から第５３面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第６面に、第１２レンズ群Ｌ１２は第７面から１２面に対応する。また、第１レンズ群Ｌ１は、物体側から順に両凹レンズ、両凸レンズ、両凸レンズ、両凸レンズ、像側に凹のメニスカス凸レンズ、像側に凹のメニスカス凸レンズの６枚のレンズで構成されている。
【００３２】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ３からＡ１６をそれぞれ非球面係数としたとき、次式で表している。また、「ｅ−Ｚ」は「×１０-Z」を意味する。
【００３３】
【数１】
2019148758.tif 000003
【００３４】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。しかしながら、本発明のズームレンズは、（１）、（２）式を満足することは必須であるが、（３）〜（７）式については満足していなくても構わない。但し、（３）〜（７）式について少なくとも１つでも満足していれば更に良い効果を奏することができる。これは他の実施例についても同様である。
【００３５】
図１９は各実施例のズームレンズを撮影光学系として用いた撮像装置（テレビカメラシステム）の概略図である。図１９において１０１は実施例１〜８のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群、第３レンズ群、変倍に伴う像面変動を補正するために光軸上を移動する第４レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受けるＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００３６】
このように、本発明のズームレンズをテレビカメラに適用することにより、高い光学性能を有する撮像装置を実現している。
【実施例２】
【００３７】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離１００ｍｍ、（ｃ）は数値実施例２の望遠端の縦収差図を示している。いずれの収差図も、無限遠に合焦しているときの縦収差図である。
【００３８】
図３において、物体側から順に、合焦のために移動する正の屈折力の第１レンズ群Ｌ１を有している。さらに、広角端から望遠端への変倍のために、像側へ移動する負の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する正の屈折力の第４レンズ群Ｌ４を有している。さらに、変倍のためには移動しない第５レンズ群Ｌ５、製造誤差によるピントズレを補正するために変倍に際して微小に移動する正の屈折力の第６レンズ群Ｌ６を有している。本実施例では、後群は第３レンズ群Ｌ３から第６レンズ群Ｌ６に相当する。
【００３９】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。
【００４０】
第１レンズ群Ｌ１は第１面から第１２面に対応する。第２レンズ群Ｌ２は、第１３面から第１９面、第３レンズ群Ｌ３は、第２０面から第２５面に、第４レンズ群Ｌ４は、第２６面から第３０面に対応している。第５レンズ群Ｌ５は、第３１面から第４３面、第６レンズ群Ｌ６は、第４４面から第５３面に対応する。第１レンズ群Ｌ１は、合焦時に移動しない第１１レンズ群Ｌ１１、無限遠側から至近側への合焦時に移動する正の屈折力の第１２レンズ群Ｌ１２から構成される。第１１レンズ群Ｌ１１は第１面から第６面に、第１２レンズ群Ｌ１２は第７面から１２面に対応する。また、第１レンズ群Ｌ１は、物体側から順に両凹レンズ、両凸レンズ、像側に凹のメニスカス凸レンズ、両凸レンズ、像側に凹のメニスカス凸レンズ、像側に凹のメニスカス凸レンズの６枚のレンズで構成されている。
【００４１】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例３】
【００４２】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離１００ｍｍ、（ｃ）は数値実施例３の望遠端の縦収差図を示している。いずれの収差図も、無限遠に合焦しているときの縦収差図である。
【００４３】
図５において、物体側から順に、保護フィルタＦ、合焦のために移動する正の屈折力の第１レンズ群Ｌ１を有している。さらに、広角端から望遠端への変倍のために、像側へ移動する負の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する正の屈折力の第４レンズ群Ｌ４を有している。さらに、変倍のためには移動しない第５レンズ群Ｌ５を有している。本実施例では、後群は第３レンズ群Ｌ３から第５レンズ群Ｌ５に相当する。
【００４４】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。
【００４５】
第１レンズ群Ｌ１は第３面から第１４面に対応する。第２レンズ群Ｌ２は、第１５面から第２１面、第３レンズ群Ｌ３は、第２２面から第２８面に、第４レンズ群Ｌ４は、第２９面から第３２面に対応している。第５レンズ群Ｌ５は、第３４面から第５５面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第３面から第８面に、第１２レンズ群Ｌ１２は第９面から１４面に対応する。また、第１レンズ群Ｌ１は、物体側から順に両凹レンズ、両凸レンズ、両凸レンズ、両凸レンズ、像側に凹のメニスカス凸レンズ、像側に凹のメニスカス凸レンズの６枚のレンズで構成されている。
【００４６】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例４】
【００４７】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離１００ｍｍ、（ｃ）は数値実施例４の望遠端の縦収差図を示している。いずれの収差図も、無限遠に合焦しているときの縦収差図である。
【００４８】
図５において、物体側から順に、合焦用の正の屈折力の第１レンズ群Ｌ１を有している。さらに、広角端から望遠端への変倍のために、像側へ移動する負の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する正の屈折力の第４レンズ群Ｌ４を有している。さらに、変倍のためには移動しない第５レンズ群Ｌ５を有している。本実施例では、後群は第３レンズ群Ｌ３から第５レンズ群Ｌ５に相当する。
【００４９】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。
【００５０】
第１レンズ群Ｌ１は第１面から第１２面に対応する。第２レンズ群Ｌ２は、第１３面から第１９面、第３レンズ群Ｌ３は、第２０面から第２５面に、第４レンズ群Ｌ４は、第２６面から第２８面に対応している。第５レンズ群Ｌ５は、第３０面から第５１面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第６面に、第１２レンズ群Ｌ１２は第７面から１２面に対応する。また、第１レンズ群Ｌ１は、物体側から順に両凹レンズ、両凸レンズ、両凸レンズ、両凸レンズ、像側に凹のメニスカス凸レンズ、像側に凹のメニスカス凸レンズの６枚のレンズで構成されている。
【００５１】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例５】
【００５２】
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離１００ｍｍ、（ｃ）は数値実施例５の望遠端の縦収差図を示している。いずれの収差図も、無限遠に合焦しているときの縦収差図である。
【００５３】
図９において、物体側から順に、合焦のために移動する正の屈折力の第１レンズ群Ｌ１を有している。さらに、広角端から望遠端への変倍のために、像側へ移動する負の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する正の屈折力の第４レンズ群Ｌ４を有している。さらに、変倍のためには移動しない第５レンズ群Ｌ５を有している。本実施例では、後群は第３レンズ群Ｌ３から第５レンズ群Ｌ５に相当する。
【００５４】
本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。
【００５５】
第１レンズ群Ｌ１は第１面から第１２面に対応する。第２レンズ群Ｌ２は、第１３面から第２２面、第３レンズ群Ｌ３は、第２３面から第２４面に、第４レンズ群Ｌ４は、第２５面から第３１面に対応している。第５レンズ群Ｌ５は、第３３面から第５５面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第６面に、第１２レンズ群Ｌ１２は第７面から１２面に対応する。また、第１レンズ群Ｌ１は、物体側から順に両凹レンズ、両凸レンズ、両凸レンズ、両凸レンズ、像側に凹のメニスカス凸レンズ、像側に凹のメニスカス凸レンズの６枚のレンズで構成されている。
【００５６】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例６】
【００５７】
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離１００ｍｍ、（ｃ）は数値実施例６の望遠端の縦収差図を示している。いずれの収差図も、無限遠に合焦しているときの縦収差図である。
【００５８】
図１１において、物体側から順に、合焦のために移動する正の屈折力の第１レンズ群Ｌ１を有している。さらに、広角端から望遠端への変倍のために、像側へ移動する負の屈折力の第２レンズ群Ｌ２、像側へ移動する負の屈折力の第３レンズ群Ｌ３、物体側へ移動する正の屈折力の第４レンズ群Ｌ４を有している。さらに、第２レンズ群Ｌ２、第３レンズ群Ｌ３、第４レンズ群Ｌ４の移動に連動して光軸上を非直線的に移動し、変倍に伴う像面変動を補正する正の屈折力の第５レンズ群Ｌ５を有している。さらに、変倍のためには移動しない第６レンズ群Ｌ６を有している。本実施例では、後群は第３レンズ群Ｌ３から第６レンズ群Ｌ６に相当する。
【００５９】
本実施例では、第２レンズ群Ｌ２、第３レンズ群Ｌ３、第４レンズ群Ｌ４、第５レンズ群Ｌ５で変倍系を構成している。ＳＰは開口絞りであり、第５レンズ群Ｌ５と第６レンズ群Ｌ６の間に配置されている。また、開口絞りは変倍に際して光軸方向に不動である。
【００６０】
第１レンズ群Ｌ１は第１面から第１４面に対応する。第２レンズ群Ｌ２は、第１５面から第１６面、第３レンズ群Ｌ３は、第１７面から第２１面に、第４レンズ群Ｌ４は、第２２面から第２３面に対応している。第５レンズ群Ｌ５は、第２４面から第３２面に、第６レンズ群Ｌ６は、第３４面から第５５面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第８面に、第１２レンズ群Ｌ１２は第９面から１４面に対応する。また、第１レンズ群Ｌ１は、物体側から順に両凹レンズ、両凸レンズ、両凹レンズ、両凸レンズ、両凸レンズ、像側に凹のメニスカス凸レンズ、像側に凹のメニスカス凸レンズの７枚のレンズで構成されている。
【００６１】
本実施例の各条件式対応値を表１に示す。本実施例は（１）〜（５）、（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例７】
【００６２】
図１３は本発明の実施例７（数値実施例７）であるズームレンズにおいて、広角端で無限遠に合焦しているときのレンズ断面図である。図１４において、（ａ）は数値実施例７の広角端、（ｂ）は数値実施例７の焦点距離６５ｍｍ、（ｃ）は数値実施例７の望遠端の縦収差図を示している。いずれの収差図も、無限遠に合焦しているときの縦収差図である。
【００６３】
図１３において、物体側から順に、合焦のために移動する正の屈折力の第１レンズ群Ｌ１を有している。さらに、広角端から望遠端への変倍のために、像側へ移動する負の屈折力の第２レンズ群Ｌ２、像側へ移動する負の屈折力の第３レンズ群Ｌ３、物体側へ移動した後、像側へ移動する負の屈折力の第４レンズ群Ｌ４を有している。さらに、第２レンズ群Ｌ２、第３レンズ群Ｌ３、第４レンズ群Ｌ４の移動に連動して光軸上を非直線的に移動し、変倍に伴う像面変動を補正する正の屈折力の第５レンズ群Ｌ５を有している。さらに、変倍のためには移動しない第６レンズ群Ｌ６を有している。本実施例では、後群は第３レンズ群Ｌ３から第６レンズ群Ｌ６に相当する。
【００６４】
本実施例では、第２レンズ群Ｌ２、第３レンズ群Ｌ３、第４レンズ群Ｌ４、第５レンズ群Ｌ５で変倍系を構成している。ＳＰは開口絞りであり、第５レンズ群Ｌ５と第６レンズ群Ｌ６の間に配置されている。また、開口絞りは変倍に際して光軸方向に不動である。
【００６５】
第１レンズ群Ｌ１は第１面から第１３面に対応する。第２レンズ群Ｌ２は、第１４面から第１９面、第３レンズ群Ｌ３は、第２０面から第２１面に、第４レンズ群Ｌ４は、第２２面から第２４面に対応している。第５レンズ群Ｌ５は、第２５面から第２８面に、第６レンズ群Ｌ６は、第３０面から第４５面に対応する。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第７面に、第１２レンズ群Ｌ１２は第８面から１３面に対応する。また、第１レンズ群Ｌ１は、物体側から順に両凹レンズ、物体側に凸のメニスカス凹レンズと両凸レンズの接合レンズ、両凸レンズ、像側に凹のメニスカス凸レンズ、像側に凹のメニスカス凸レンズ、像側に凹のメニスカス凸レンズの７枚のレンズで構成されている。
【００６６】
本実施例の各条件式対応値を表１に示す。本実施例は（１）〜（４）、（６）、（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【実施例８】
【００６７】
図１５は本発明の実施例８（数値実施例８）であるズームレンズにおいて、広角端で無限遠に合焦しているときのレンズ断面図である。図１６において、（ａ）は数値実施例８の広角端、（ｂ）は数値実施例８の焦点距離１００ｍｍ、（ｃ）は数値実施例８の望遠端の縦収差図を示している。いずれの収差図も、無限遠に合焦しているときの縦収差図である。
【００６８】
図１５において、物体側から順に、合焦用の正の屈折力の第１レンズ群Ｌ１を有している。さらに、広角端から望遠端への変倍のために、像側へ移動する負の屈折力の第２レンズ群Ｌ２、第２レンズ群Ｌ２の移動に連動して光軸上を非直線的に移動し、変倍に伴う像面変動を補正する正の屈折力の第３レンズ群Ｌ３を有している。さらに、変倍のためには移動しない第４レンズ群Ｌ４を有している。本実施例では、後群は第３レンズ群Ｌ３から第４レンズ群Ｌ４に相当する。
【００６９】
本実施例では、第２レンズ群Ｌ２、第３レンズ群Ｌ３で変倍系を構成している。ＳＰは開口絞りであり、第３レンズ群Ｌ３と第４レンズ群Ｌ４の間に配置されている。また、開口絞りは変倍に際して光軸方向に不動である。
【００７０】
第１レンズ群Ｌ１は第１面から第１２面に対応する。第２レンズ群Ｌ２は、第１３面から第１９面、第３レンズ群Ｌ３は、第２０面から第２８面に、第４レンズ群Ｌ４は、第３０面から第５６面に対応している。第１レンズ群Ｌ１は、合焦のためには移動しない第１１レンズ群Ｌ１１、無限遠側から至近側への合焦のために移動する正の屈折力の第１２レンズ群Ｌ１２から構成される。第１１レンズ群Ｌ１１は第１面から第６面に、第１２レンズ群Ｌ１２は第７面から１２面に対応する。また、第１レンズ群Ｌ１は、物体側から順に両凹レンズ、両凸レンズ、像側に凹のメニスカス凸レンズ、両凸レンズ、像側に凹のメニスカス凸レンズ、像側に凹のメニスカス凸レンズの６枚のレンズで構成されている。
【００７１】
本実施例の各条件式対応値を表１に示す。本実施例は（１）〜（７）式を満足しており、第１レンズ群のレンズ構成や屈折力、硝材を適切に設定することで、広画角、高ズーム比、小型軽量で全ズーム範囲に渡り高い光学性能を有したズームレンズを達成している。
【００７２】
以上、本発明の好ましい実施形態について説明したが、本発明はこれらの実施形態に限定されず、その要旨の範囲内で種々の変形及び変更が可能である。本発明の特徴は、第１レンズ群のレンズ構成や屈折力、硝材を適切に設定することであり、第２レンズ群より像側のレンズ群である後群が数値実施例１〜８の構成以外であっても、本発明の効果を奏することができる。
【００７３】
<数値実施例１>
単位 mm
面データ  
面番号        r         d        nd        vd       θgF     有効径
1    -2942.18811   6.00000  1.834810   42.74    0.5648    212.002
2      335.45859   1.80000                                200.133
3      335.06633  23.70767  1.433870   95.10    0.5373    199.514
4    -1057.92901   0.20000                                198.161
5      525.29863  14.68252  1.433870   95.10    0.5373    198.476
6    -2449.90453  25.25075                                198.589
7      377.04224  20.53079  1.433870   95.10    0.5373    199.204
8    -1365.49684   0.25000                                198.661
9      306.95406  16.15620  1.433870   95.10    0.5373    193.061
10     1716.23164   1.49946                                191.758
11      188.24393  16.19337  1.438750   94.66    0.5340    180.210
12      408.07756    (可変)                                178.091
13     -532.82374   2.20000  2.003300   28.27    0.5980     45.145
14       38.13165  11.72245                                 38.748
15      -44.54614   1.45000  1.743198   49.34    0.5531     37.567
16       72.56546   9.77415  1.892860   20.36    0.6393     38.794
17      -46.48441   1.62858                                 39.876
18      -41.75805   2.00000  1.882997   40.76    0.5667     39.814
19     -152.60813    (可変)                                 42.397
20      152.33559  11.49260  1.729157   54.68    0.5444     83.173
21     -265.71450   6.61910                                 83.460
22      139.88768  13.50202  1.438750   94.66    0.5340     83.757
23     -246.30392   0.49825                                 83.128
24      264.09410   2.60000  1.854780   24.80    0.6122     80.161
25       97.10593    (可変)                                 77.382
26       86.50601  15.38886  1.496999   81.54    0.5375     77.639
27     -236.96933   0.50000                                 76.744
28      415.87662   2.50000  1.805181   25.42    0.6161     73.398
29      139.36202   7.84908  1.603112   60.64    0.5415     71.070
30     -764.20052    (可変)                                 69.842
31(絞り)   ∞       5.45833                                 34.134
32     -100.58829   1.40000  1.882997   40.76    0.5667     31.362
33       50.28488   1.36347                                 30.487
34       40.81657   3.59528  1.922860   18.90    0.6495     30.974
35       96.04198   4.18687                                 30.494
36      -79.86582   1.70000  1.804000   46.53    0.5577     30.147
37     -114.43939   7.69473                                 30.251
38      447.23261   1.50000  1.804000   46.53    0.5577     29.104
39       36.26082   4.29014  1.846660   23.87    0.6205     28.682
40      154.67305   4.70815                                 28.446
41      -40.89612   1.50000  1.891900   37.13    0.5780     28.350
42      100.53116   8.12196  1.516330   64.14    0.5353     29.957
43      -29.81855  12.96157                                 31.195
44       95.10916   5.83122  1.517417   52.43    0.5564     33.399
45      -65.82347   1.39999                                 33.299
46     -142.70016   1.50000  1.882997   40.76    0.5667     32.371
47       37.95063   7.64407  1.487490   70.23    0.5300     31.922
48      -86.09780   0.20000                                 32.324
49      111.79843   7.62511  1.517417   52.43    0.5564     32.455
50      -35.37773   1.50000  1.882997   40.76    0.5667     32.274
51     -107.94732   0.20000                                 32.859
52       90.09429   7.67048  1.539956   59.46    0.5441     32.842
53      -53.74072  10.00000                                 32.352
54        0.00000  33.00000  1.608590   46.44    0.5664     60.000
55        0.00000  13.20000  1.516330   64.15    0.5352     60.000
56        0.00000   0.00000                                 60.000
【００７４】
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第21面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第30面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
各種データ
ズーム比    120.00 
広角     中間     望遠
焦点距離       8.50   100.00  1020.00  
Fナンバー      1.75     1.75     5.30  
画角          32.91     3.15     0.31  
像高           5.50     5.50     5.50  
レンズ全長   677.55   677.55   677.55  
BF            13.30    13.30    13.30  
d12            3.47   154.53   194.08  
d19          289.33    96.93     2.00  
d25            4.21    10.31     4.50  
d30            2.99    38.24    99.42  
d56           13.30    13.30    13.30  
入射瞳位置   133.62  1087.74  14063.25  
射出瞳位置   166.67   166.67    166.67  
前側主点位置 142.60  1252.93  21866.59  
後側主点位置   4.80   -86.70  -1006.70  
ズームレンズ群データ
群  始面    焦点距離  レンズ構成長  前側主点位置  後側主点位置
1    1     251.50       126.27        72.69        -19.27
2   13     -24.07        28.78         3.62        -16.98
3   20     134.62        34.71        -5.03        -27.55
4   26     112.37        26.24         4.27        -13.07
5   31      42.11       148.25        58.68         17.53
【００７５】
<数値実施例２>
単位 mm
面データ  
面番号        r         d        nd        vd       θgF     有効径
1    -2952.64955   6.00000  1.834000   37.16    0.5776    212.010
2      382.14038   1.80000                                202.136
3      388.86609  24.39740  1.433870   95.10    0.5373    201.686
4     -700.71634   0.20000                                200.236
5      765.02799   9.43214  1.496999   81.54    0.5375    197.717
6    26529.27877  24.09090                                197.762
7      344.60037  19.76446  1.433870   95.10    0.5373    198.724
8    -3028.72960   0.25000                                198.149
9      273.92589  18.29025  1.433870   95.10    0.5373    192.996
10     1815.20913   1.49727                                191.662
11      203.60531  14.55714  1.496999   81.54    0.5375    180.653
12      418.21430    (可変)                                178.680
13     -358.51551   2.20000  2.003300   28.27    0.5980     48.599
14       44.27894  10.21274                                 42.067
15      -75.14372   1.45000  1.834810   42.74    0.5648     40.882
16       49.98154  10.12963  1.922860   18.90    0.6495     40.623
17      -63.54174   2.73098                                 40.442
18      -47.37298   2.00000  1.882997   40.76    0.5667     39.835
19     -457.41251    (可変)                                 42.053
20      147.89828  11.09124  1.696797   55.53    0.5434     83.624
21     -277.54144   1.34342                                 83.936
22      131.80447  17.76338  1.438750   94.66    0.5340     85.204
23     -129.83682   2.54492                                 84.760
24      296.71336   2.60000  1.854780   24.80    0.6122     78.396
25       99.83596    (可変)                                 75.434
26      115.98526   2.50000  1.854780   24.80    0.6122     74.905
27       77.12734  11.07954  1.496999   81.54    0.5375     73.033
28     1707.17446   0.20000                                 72.640
29      149.30923   8.66198  1.603112   60.64    0.5415     71.665
30     -462.58889    (可変)                                 70.679
31(絞り)   ∞       5.34463                                 33.793
32     -106.81540   1.40000  1.882997   40.76    0.5667     31.082
33       47.77336   1.10755                                 30.181
34       38.57762   3.75204  1.922860   18.90    0.6495     30.648
35       95.73986   4.68476                                 30.143
36      -58.02741   1.70000  1.804000   46.53    0.5577     29.748
37      -87.80328   7.40942                                 29.981
38      123.41469   1.50000  1.804000   46.53    0.5577     29.021
39       31.45397   4.72312  1.846660   23.87    0.6205     28.372
40       65.61846   6.13690                                 27.856
41      -32.58347   1.50000  1.891900   37.13    0.5780     27.904
42      228.71899   8.24751  1.516330   64.14    0.5353     30.231
43      -26.92662    (可変)                                 31.799
44       58.80410   7.65043  1.517417   52.43    0.5564     36.037
45      -68.74469   1.39994                                 35.850
46     -185.00230   1.50000  1.882997   40.76    0.5667     34.614
47       49.09316   8.06805  1.487490   70.23    0.5300     33.941
48      -58.82288   0.20000                                 34.033
49       74.37701   9.28723  1.517417   52.43    0.5564     32.901
50      -39.92795   1.50000  1.882997   40.76    0.5667     31.569
51     -244.65563   0.20000                                 31.243
52      101.89805   7.21340  1.539956   59.46    0.5441     30.755
53     -113.52844    (可変)                                 29.344
54        0.00000  33.00000  1.608590   46.44    0.5664     60.000           
55        0.00000  13.20000  1.516330   64.15    0.5352     60.000           
56        0.00000   0.00000                                 60.000           
【００７６】
非球面データ
第13面
K = 1.59939e+000  A 4= 1.04493e-006  A 6=-2.62173e-008  A 8=-3.03736e-010  A10= 8.93863e-013  A12= 3.23638e-015  A14= 1.64495e-018  A16= 5.15456e-022  
A 3= 2.63147e-007  A 5= 9.06039e-008  A 7= 3.91967e-009  A 9= 6.19665e-012  A11=-8.33928e-014  A13=-7.34880e-017  A15=-4.16695e-020  
第21面
K = 6.69742e+000  A 4= 4.04488e-007  A 6=-7.32603e-011  A 8= 5.42241e-014  A10= 7.31719e-017  A12=-2.97911e-020  A14= 3.60991e-023  A16=-2.06168e-028  
A 3=-7.03642e-008  A 5= 1.48648e-009  A 7= 5.87324e-013  A 9=-2.59047e-015  A11=-4.36458e-020  A13=-6.18036e-022  A15=-3.45818e-025  
第29面
K = 5.30341e+000  A 4=-2.55551e-007  A 6=-8.14464e-010  A 8=-2.37375e-013  A10= 5.04334e-016  A12=-1.38421e-019  A14= 8.53415e-023  A16=-8.26363e-026  
A 3=-1.19884e-007  A 5= 9.75693e-009  A 7= 2.57406e-011  A 9=-1.52340e-014  A11= 2.00987e-018  A13=-6.42083e-021  A15= 4.85077e-024  
各種データ
ズーム比    125.00 
広角     中間     望遠
焦点距離       8.50   100.00  1062.49  
Fナンバー      1.75     1.75     5.50  
画角          32.91     3.15     0.30  
像高           5.50     5.50     5.50  
レンズ全長   672.29   672.29   672.29  
BF            13.92    13.92    13.92  
d12            3.66   150.66   188.54  
d19          292.86   101.86     2.00  
d25            4.46    15.10     4.73  
d30            2.97    36.33   108.68  
d43           10.97    11.06    10.97  
d53            5.93     5.84     5.93  
d56           13.92    13.92    13.92  
入射瞳位置   132.19  1089.06  15229.74  
射出瞳位置   192.78   191.53    192.78  
前側主点位置 141.09  1245.37  22604.01  
後側主点位置   5.42   -86.08  -1048.57  
ズームレンズ群データ
群  始面    焦点距離  レンズ構成長  前側主点位置  後側主点位置
1    1     248.00       120.28        67.91        -19.53
2   13     -24.28        28.72         5.00        -14.14
3   20     113.57        35.34        -3.01        -25.41
4   26     131.03        22.44         6.05         -8.58
5   31     -33.32        47.51        12.02        -27.35
6   44      47.89        37.02        12.52        -14.51
7   54       ∞          46.20        14.58        -14.58
【００７７】
<数値実施例３>
単位 mm
面データ  
面番号        r         d        nd        vd       θgF     有効径
1        0.00000   5.00000  1.516330   64.14    0.5353    218.323
2        0.00000   8.00000                                214.788
3     -998.22466   6.00000  1.788001   47.37    0.5559    212.011
4      311.15990   1.80000                                198.807
5      309.33731  25.88420  1.433870   95.10    0.5373    198.234
6     -853.38024   0.20000                                196.582
7      541.97521  17.04207  1.433870   95.10    0.5373    194.671
8     -951.12069  24.68771                                194.932
9      382.03397  19.41205  1.433870   95.10    0.5373    196.069
10    -1541.37175   0.25000                                195.572
11      299.41393  17.10177  1.433870   95.10    0.5373    190.640
12     2560.82051   1.49828                                189.388
13      204.14134  15.04713  1.433870   95.10    0.5373    178.741
14      455.53191    (可変)                                176.715
15     9143.18075   2.20000  2.003300   28.27    0.5980     46.899
16       37.53058  13.58442                                 40.065
17      -37.55847   1.45000  1.754999   52.32    0.5475     38.703
18      400.99468   8.95884  1.892860   20.36    0.6393     40.387
19      -38.90124   1.50583                                 40.925
20      -38.88617   2.00000  1.882997   40.76    0.5667     39.882
21     -108.17780    (可変)                                 42.566
22      129.34578  12.40474  1.729157   54.68    0.5444     79.823
23     -224.28722   7.98847                                 79.948
24    -1234.31437  10.08082  1.438750   94.66    0.5340     79.428
25     -106.01195   0.46255                                 79.378
26      643.60139   2.60000  1.854780   24.80    0.6122     75.636
27      103.15549  10.31357  1.496999   81.54    0.5375     73.417
28     1263.01077    (可変)                                 72.791           
29      277.90353   2.50000  1.854780   24.80    0.6122     71.447
30      160.05144   0.20000                                 70.506
31      101.14903  11.25728  1.603112   60.64    0.5415     70.417
32     -288.32745    (可変)                                 69.566
33(絞り)   ∞       5.20414                                 34.825
34     -126.43417   1.40000  1.882997   40.76    0.5667     32.198
35       49.48874   0.85812                                 31.241
36       40.23871   3.65091  1.922860   18.90    0.6495     31.597
37       91.12081   5.42209                                 31.084
38      -47.98001   1.70000  1.804000   46.53    0.5577     30.706
39      -59.08405   7.25165                                 31.071
40       64.42205   1.50000  1.804000   46.53    0.5577     29.612
41       31.25734   3.57744  1.846660   23.87    0.6205     28.690
42       54.86605   9.93462                                 28.112
43      -37.93700   1.50000  1.891900   37.13    0.5780     27.515
44      206.58346   7.03923  1.516330   64.14    0.5353     28.920
45      -30.15528   9.53044                                 29.996
46      319.32620   4.93362  1.517417   52.43    0.5564     31.002
47      -52.26221   1.39980                                 31.033
48     -104.67191   1.50000  1.882997   40.76    0.5667     30.201
49       34.42737  10.16368  1.487490   70.23    0.5300     30.053
50      -79.95092   0.20000                                 31.278
51      152.08205   6.76563  1.517417   52.43    0.5564     31.686
52      -38.44946   1.50000  1.882997   40.76    0.5667     31.767
53      -87.11748   0.20000                                 32.447
54       62.55066   6.92712  1.539956   59.46    0.5441     32.609
55      -59.81625  10.00000                                 32.195
56        0.00000  33.00000  1.608590   46.44    0.5664     60.000
57        0.00000  13.20000  1.516330   64.15    0.5352     60.000
58        0.00000   0.00000                                 60.000
【００７８】
非球面データ
第15面
K = 1.22862e+000  A 4= 9.75661e-007  A 6=-2.92720e-008  A 8=-3.07531e-010  A10= 8.92200e-013  A12= 3.33890e-015  A14= 1.39558e-018  A16= 5.56108e-022  
A 3= 3.45811e-007  A 5= 1.23798e-007  A 7= 4.08618e-009  A 9= 6.23142e-012  A11=-8.49263e-014  A13=-7.13714e-017  A15=-3.86742e-020  
第23面
K = 4.27474e+000  A 4= 4.42986e-007  A 6=-8.23029e-011  A 8=-4.49509e-014  A10= 2.69234e-017  A12=-2.93257e-020  A14= 4.73480e-023  A16=-4.98474e-027  
A 3= 2.92285e-008  A 5= 1.27192e-009  A 7= 2.28076e-012  A 9= 2.99151e-017  A11= 1.01128e-018  A13=-1.59757e-021  A15=-4.98206e-026  
第31面
K = 4.44427e-001  A 4=-1.38238e-007  A 6= 5.46001e-011  A 8=-3.34795e-013  A10=-1.25473e-015  A12= 7.96776e-019  A14=-1.22205e-022  A16=-1.90720e-025  
A 3=-1.51552e-007  A 5=-1.34038e-009  A 7=-3.41887e-012  A 9= 3.31026e-014  A11= 1.56502e-017  A13=-3.00082e-020  A15= 1.73545e-023  
各種データ
ズーム比    105.00 
広角     中間     望遠
焦点距離       8.25   100.00   866.25  
Fナンバー      1.75     1.75     4.67  
画角          33.69     3.15     0.36  
像高           5.50     5.50     5.50  
レンズ全長   694.47   694.47   694.47  
BF            13.28    13.28    13.28  
d14            3.19   160.44   198.84  
d21          294.25    98.52     4.00  
d28            1.50     7.51    17.59  
d32            4.46    36.93    82.98  
d58           13.28    13.28    13.28  
入射瞳位置   142.72  1118.61  10959.15  
射出瞳位置   135.92   135.92    135.92  
前側主点位置 151.52  1300.15  17944.04  
後側主点位置   5.03   -86.72   -852.97  
ズームレンズ群データ
群  始面    焦点距離  レンズ構成長  前側主点位置  後側主点位置
1    1     251.80       141.92        89.43        -13.42
2   15     -25.33        29.70         3.59        -18.82
3   22     101.14        43.85         4.43        -26.69
4   29     174.29        13.96         3.48         -5.17
5   33      40.25       148.36        60.48         15.62
【００７９】
<数値実施例４>
単位 mm
面データ  
面番号        r         d        nd        vd       θgF     有効径
1    -1710.45126   6.00000  1.882997   40.76    0.5667    211.720
2      343.28451   1.40000                                199.702
3      340.76308  22.84373  1.433870   95.10    0.5373    199.127
4    -1189.30874   0.20000                                197.325
5      501.84555  18.22586  1.496999   81.54    0.5375    200.158
6    -1020.91117  23.39842                                200.351
7      409.35773  18.74443  1.433870   95.10    0.5373    200.011
8    -1760.91683   0.25000                                199.457
9      292.43169  15.91910  1.433870   95.10    0.5373    194.002
10     1197.32133   1.49822                                192.692
11      200.86305  15.41334  1.537750   74.70    0.5392    182.645
12      428.48964    (可変)                                180.548
13     -313.13253   2.20000  2.003300   28.27    0.5980     44.866
14       33.71915  12.26576                                 37.588
15      -41.16057   1.45000  1.834810   42.74    0.5648     36.439
16       62.17773   8.91591  1.922860   18.90    0.6495     38.165
17      -62.38400   5.38582                                 38.934
18      -30.98396   2.00000  1.882997   40.76    0.5667     39.433
19      -37.64090    (可変)                                 41.894
20       95.39226  13.72373  1.696797   55.53    0.5434     80.341
21     -358.40886   8.01605                                 79.997
22      411.33331  13.04458  1.438750   94.66    0.5340     79.228
23     -106.61916   0.48432                                 78.837
24      209.83014   2.60000  1.854780   24.80    0.6122     72.620
25       78.79437    (可変)                                 69.203
26       69.63884   2.50000  1.854780   24.80    0.6122     68.854
27       57.06993  15.42195  1.496999   81.54    0.5375     66.664
28     -234.08629    (可変)                                 65.966
29(絞り)   ∞       4.94237                                 33.092
30     -145.71080   1.40000  1.882997   40.76    0.5667     30.516
31       41.09812   1.17793                                 29.467
32       37.22361   3.44445  1.922860   18.90    0.6495     29.919
33       75.65657   5.48487                                 29.433
34      -43.90762   1.70000  1.816000   46.62    0.5568     29.176
35      -47.59024   7.24906                                 29.589
36      175.43181   1.50000  1.804000   46.53    0.5577     28.323
37       31.05200   4.24489  1.846660   23.87    0.6205     27.731
38       94.50727   5.01959                                 27.411
39      -39.73416   1.50000  1.891900   37.13    0.5780     27.330
40       93.10685   7.93711  1.516330   64.14    0.5353     28.920
41      -29.16696  12.88024                                 30.181
42       68.50752   6.68142  1.517417   52.43    0.5564     32.814
43      -65.55175   1.39995                                 32.607
44     -107.65742   1.50000  1.882997   40.76    0.5667     31.683
45       34.89816   7.55137  1.487490   70.23    0.5300     31.258
46     -102.98421   0.20000                                 31.752
47       87.36510   7.86530  1.517417   52.43    0.5564     32.127
48      -35.22935   1.50000  1.882997   40.76    0.5667     32.015
49     -100.50763   0.20000                                 32.661
50       83.96779   6.68159  1.539956   59.46    0.5441     32.700
51      -53.21268  10.00000                                 32.366
52        0.00000  33.00000  1.608590   46.44    0.5664     60.000
53        0.00000  13.20000  1.516330   64.15    0.5352     60.000
54        0.00000   0.00000                                 60.000
【００８０】
非球面データ
第13面
K =-2.00000e+000  A 4= 3.04442e-006  A 6=-2.65777e-008  A 8=-3.20442e-010  A10= 9.24029e-013  A12= 3.25049e-015  A14= 1.48023e-018  A16= 5.32770e-022  
A 3=-4.02893e-007  A 5= 6.26697e-008  A 7= 4.15404e-009  A 9= 6.07014e-012  A11=-8.37999e-014  A13=-7.23493e-017  A15=-3.84154e-020  
第21面
K = 1.04683e+001  A 4= 5.83804e-007  A 6=-2.51358e-010  A 8= 1.09404e-013  A10= 6.88754e-017  A12=-6.60352e-020  A14= 4.72282e-023  A16=-2.46015e-027  
A 3= 2.48858e-007  A 5= 5.83645e-009  A 7= 2.40296e-012  A 9=-3.85730e-015  A11= 1.04867e-018  A13=-5.60653e-022  A15=-3.36579e-025  
第26面
K =-2.13010e-002  A 4=-2.16344e-007  A 6=-1.02471e-009  A 8=-1.44726e-013  A10= 3.09243e-016  A12=-5.03381e-019  A14= 1.26284e-022  A16=-8.60420e-026  
A 3= 3.63917e-007  A 5= 1.58236e-008  A 7= 2.85283e-011  A 9=-1.62628e-014  A11= 1.42445e-017  A13=-2.46490e-021  A15= 4.10158e-024  
各種データ
ズーム比    100.00 
広角     中間     望遠
焦点距離       8.00   100.00   799.99  
Fナンバー      1.75     1.75     4.16  
画角          34.51     3.15     0.39  
像高           5.50     5.50     5.50  
レンズ全長   671.36   671.36   671.36  
BF            13.29    13.29    13.29  
d12            3.49   159.38   192.90  
d19          285.83    97.08     4.00  
d25            5.48     6.15    20.79  
d28            3.10    35.29    80.22  
d54           13.29    13.29    13.29  
入射瞳位置   125.44  1191.73  10621.53  
射出瞳位置   143.31   143.31    143.31  
前側主点位置 133.94  1368.65  16343.64  
後側主点位置   5.29   -86.71   -786.70  
ズームレンズ群データ
群  始面    焦点距離  レンズ構成長  前側主点位置  後側主点位置
1    1     245.21       123.89        71.32        -16.41
2   13     -24.15        32.22         1.67        -24.50
3   20     120.61        37.87        -5.88        -30.60
4   26     123.90        17.92         2.03         -9.85
5   29      39.44       148.26        56.98         15.16
【００８１】
<数値実施例５>
単位 mm
面データ  
面番号        r         d        nd        vd       θgF     有効径
1    -1636.49852   6.00000  1.834810   42.74    0.5648    212.015
2      368.42949   1.80000                                200.647
3      363.93351  22.01304  1.433870   95.10    0.5373    199.967
4    -1662.37602   0.20000                                197.818
5      772.41365  15.74003  1.433870   95.10    0.5373    198.832
6     -751.71544  24.50618                                199.118
7      480.79430  17.51537  1.433870   95.10    0.5373    200.641
8    -1250.82948   0.25000                                200.339
9      275.11695  19.73844  1.433870   95.10    0.5373    195.449
10     5924.93473   1.49615                                194.464
11      181.00928  15.59409  1.438750   94.66    0.5340    181.018
12      364.09501    (可変)                                179.201
13     2611.04787   2.80000  1.903660   31.32    0.5946     46.719
14       62.46417   3.62310                                 41.144
15     -278.05117   1.70000  2.001000   29.13    0.5997     41.887
16       59.18261   6.07620                                 39.424
17      -72.99201   1.72000  1.900430   37.37    0.5774     39.427
18      239.08076   4.65000  1.808095   22.76    0.6307     40.442
19     -160.38629   0.12000                                 40.964
20      154.80129   9.69000  1.808095   22.76    0.6307     41.449
21      -36.03157   1.70000  1.816000   46.62    0.5568     41.400
22    11240.10571    (可変)                                 42.358
23      257.78212  10.20000  1.496999   81.54    0.5375     75.250
24     -152.21100    (可変)                                 75.987
25       81.78544  15.00000  1.437000   95.10    0.5326     79.969
26     -290.13783   0.12000                                 79.548
27      649.13093   5.70000  1.437000   95.10    0.5326     77.966
28     -635.79082   0.12000                                 76.704
29      101.78523   2.02000  1.800000   29.84    0.6017     72.589
30       50.62806  17.00000  1.437000   95.10    0.5326     67.465
31    -1065.41039    (可変)                                 66.129
32(絞り)   ∞       5.21000                                 34.696
33     -145.83445   1.50000  1.772499   49.60    0.5520     32.135
34       40.64453   0.12000                                 30.934
35       37.46411   3.99000  1.805181   25.42    0.6161     31.040
36      274.92557   3.03000                                 30.755
37      -62.87569   1.50000  1.487490   70.23    0.5300     30.464
38     -331.93524   6.31000                                 30.178
39     -119.76380   1.80000  1.804000   46.58    0.5573     29.106
40       79.04800   4.85000  1.805181   25.42    0.6161     29.137
41      227.22882   1.68000                                 29.163
42     -105.51290   3.50000  1.882997   40.76    0.5667     29.186
43       53.47768   9.79000  1.540720   47.23    0.5651     30.486
44      -49.61881   0.12000                                 32.343
45       59.36631  14.27000  1.834807   42.73    0.5648     33.498
46       76.77071   7.92000                                 31.475
47     1676.58760   6.38000  1.729157   54.68    0.5444     31.950
48      -58.74910   0.12000                                 32.094
49     1160.20334   5.50000  1.953750   32.32    0.5898     31.183
50       41.97610   1.21000                                 29.566
51       43.59972  14.88000  1.568832   56.36    0.5489     29.967
52      -69.37111   0.15000                                 29.344
53       57.08470   5.79000  1.487490   70.23    0.5300     28.125
54      -65.79583   3.47000  1.953750   32.32    0.5898     27.071
55     -136.35307   0.25000                                 26.244
56        0.00000   1.00000  1.516330   64.14    0.5353     25.717
57        0.00000   0.10000                                 25.334
58        0.00000  33.00000  1.608590   46.44    0.5664     60.000
59        0.00000  13.20000  1.516330   64.15    0.5352     60.000
60        0.00000   0.00000                                 60.000
【００８２】
非球面データ
第13面
K = 0.00000e+000  A 4= 3.73226e-007  A 6=-1.85656e-010  A 8= 2.84125e-012  A10=-1.48139e-014  A12= 3.95140e-017  A14=-5.29683e-020  A16= 2.77998e-023  
第24面
K = 0.00000e+000  A 4= 1.81265e-007  A 6=-2.18673e-010  A 8= 4.54414e-013  A10=-5.79004e-016  A12= 4.19988e-019  A14=-1.58916e-022  A16= 2.42413e-026  
第27面
K = 0.00000e+000  A 4=-1.75194e-007  A 6=-3.10471e-010  A 8= 6.47038e-013  A10=-8.69621e-016  A12= 6.59113e-019  A14=-2.58923e-022  A16= 4.09530e-026  
各種データ
ズーム比    110.00 
広角     中間     望遠
焦点距離       8.40   100.00   923.99  
Fナンバー      1.75     1.75     4.80  
画角          33.22     3.15     0.34  
像高           5.50     5.50     5.50  
レンズ全長   677.22   677.22   677.22  
BF            13.89    13.89    13.89  
d12            3.21   153.91   191.20  
d22          297.91    97.46     2.00  
d24            1.50    14.68     1.70  
d31            2.98    39.55   110.70  
d60           13.89    13.89    13.89  
入射瞳位置   132.61  1065.69  11937.60  
射出瞳位置   264.60   264.60    264.60  
前側主点位置 141.29  1205.58  16267.00  
後側主点位置   5.49   -86.11   -910.10  
ズームレンズ群データ
群  始面    焦点距離  レンズ構成長  前側主点位置  後側主点位置
1    1     250.00       124.85        73.57        -16.31
2   13     -26.50        32.08         3.49        -18.78
3   23     193.60        10.20         4.32         -2.55
4   25     110.00        39.96         5.10        -22.85
5   32      49.37       150.64        61.48         13.93
【００８３】
<数値実施例６>
単位 mm
面データ  
面番号        r         d        nd        vd       θgF     有効径
1    -1061.37564   6.00000  1.788001   47.37    0.5559    212.004
2      437.88370   2.00000                                203.748
3      446.06598  23.92188  1.433870   95.10    0.5373    203.452
4     -622.49493   0.19890                                202.444
5      915.30360   6.00000  1.850259   32.27    0.5929    198.861
6      608.63429   1.00000                                198.800
7      471.99209  19.57807  1.433870   95.10    0.5373    199.772
8     -884.56718  24.97986                                199.955
9      404.12448  19.24764  1.433870   95.10    0.5373    199.211
10    -1513.72254   0.25000                                198.630
11      295.70647  15.37006  1.433870   95.10    0.5373    192.784
12     1140.36416   1.49921                                191.444
13      176.82815  17.53882  1.438750   94.66    0.5340    179.878
14      396.25334    (可変)                                177.706
15     -265.90829   2.20000  2.003300   28.27    0.5980     43.317
16       40.28905    (可変)                                 37.709
17      -48.69408   1.45000  1.743198   49.34    0.5531     36.841
18       64.90157  10.15625  1.892860   20.36    0.6393     39.000
19      -46.65078   0.94977                                 40.017
20      -43.70695   2.00000  1.882997   40.76    0.5667     39.949
21     -238.00409    (可変)                                 42.385
22      245.70301   9.91935  1.729157   54.68    0.5444     82.223
23     -236.88071    (可変)                                 82.831
24      103.55182  17.39977  1.438750   94.66    0.5340     85.116
25     -193.03075   1.05104                                 84.448
26      252.55381   2.60000  1.854780   24.80    0.6122     80.086
27      100.85362   1.00000                                 77.180
28       95.22728  13.03743  1.496999   81.54    0.5375     77.084
29     -438.07745   2.50000  1.854780   24.80    0.6122     76.012
30      523.78139   0.20000                                 74.753
31      180.13422   8.54326  1.603112   60.64    0.5415     74.156
32     -300.14000    (可変)                                 73.243
33(絞り)   ∞       5.52545                                 36.079
34     -107.41243   1.40000  1.882997   40.76    0.5667     33.373
35       58.33624   0.49984                                 32.524
36       40.86521   3.81080  1.922860   18.90    0.6495     32.846
37       88.11073   5.44329                                 32.257
38      -54.21473   1.70000  1.804000   46.53    0.5577     31.839
39      -78.11945   7.02652                                 32.153
40       93.33051   1.50000  1.804000   46.53    0.5577     31.111
41       35.84895   4.89868  1.846660   23.87    0.6205     30.368
42       78.85313   5.49000                                 29.704
43      -54.59995   1.50000  1.891900   37.13    0.5780     29.515
44       79.40629   8.36701  1.516330   64.14    0.5353     30.594
45      -31.23562  11.32613                                 31.571
46      336.41962   3.58796  1.517417   52.43    0.5564     31.321
47    -1136.62512   2.00000                                 31.189
48     5113.58495   1.50000  1.882997   40.76    0.5667     31.022
49       35.43620  10.23202  1.487490   70.23    0.5300     30.800
50      -89.05834   0.20000                                 31.899
51       81.01290   7.80550  1.517417   52.43    0.5564     32.333
52      -37.38744   1.50000  1.882997   40.76    0.5667     32.200
53     -108.00852   0.20000                                 32.754
54       98.80813   6.54950  1.539956   59.46    0.5441     32.745
55      -51.28636  10.00000                                 32.439
56        0.00000  33.00000  1.608590   46.44    0.5664     60.000
57        0.00000  13.20000  1.516330   64.15    0.5352     60.000
58        0.00000   0.00000                                 60.000
【００８４】
非球面データ
第15面
K =-2.00000e+000  A 4= 1.26593e-006  A 6=-2.67796e-008  A 8=-3.03007e-010  A10= 8.75925e-013  A12= 3.31947e-015  A14= 1.36796e-018  A16= 5.79644e-022  
A 3=-4.12865e-007  A 5= 8.74667e-008  A 7= 3.94668e-009  A 9= 6.37487e-012  A11=-8.43915e-014  A13=-7.03012e-017  A15=-3.91084e-020  
第23面
K = 1.60380e+001  A 4= 1.88802e-007  A 6=-4.95211e-011  A 8=-1.59588e-014  A10= 9.82595e-017  A12=-1.39189e-019  A14= 1.45831e-023  A16=-3.70179e-027  
A 3= 1.48240e-008  A 5= 2.30878e-009  A 7= 1.81659e-012  A 9=-2.39785e-015  A11= 2.10561e-018  A13= 1.20846e-021  A15= 3.43940e-026  
第31面
K =-3.11813e+000  A 4=-3.88068e-007  A 6=-1.19018e-010  A 8=-4.23032e-013  A10=-3.17181e-016  A12=-2.58822e-019  A14= 2.86962e-022  A16=-3.93678e-026  
A 3= 3.18532e-007  A 5= 5.35389e-009  A 7= 1.56885e-012  A 9= 1.95280e-014  A11= 9.95417e-018  A13=-7.08697e-021  A15=-3.08479e-025  
各種データ
ズーム比    116.00 
広角     中間     望遠
焦点距離       8.80   100.00  1020.79  
Fナンバー      1.75     1.75     5.30  
画角          32.01     3.15     0.31  
像高           5.50     5.50     5.50  
レンズ全長   681.25   681.25   681.25  
BF            13.29    13.29    13.29  
d14            3.87   150.98   188.46  
d16           10.21    10.05    10.03  
d21          284.02   100.73     2.00  
d23            8.00     9.60     8.27  
d32            2.99    37.74   100.33  
d58           13.29    13.29    13.29  
入射瞳位置   140.13  1085.30  13261.31  
射出瞳位置   182.18   182.18    182.18  
前側主点位置 149.39  1244.51  20452.20  
後側主点位置   4.49   -86.71  -1007.49  
ズームレンズ群データ
群  始面    焦点距離  レンズ構成長  前側主点位置  後側主点位置
1    1     245.00       137.58        78.95        -19.22
2   15     -34.46         2.20         0.95         -0.14
3   17    -102.90        14.56        -0.95         -9.11
4   22     166.13         9.92         2.94         -2.84
5   24     111.79        46.33        12.91        -19.84
6   33      45.45       148.26        62.69         16.84
【００８５】
<数値実施例７>
単位 mm
面データ  
面番号        r         d        nd        vd       θgF     有効径
1     -359.39541   2.50000  1.756998   47.82    0.5565    110.247
2      396.59730   3.48827                                109.068
3     3117.01401   2.50000  1.800999   34.97    0.5864    109.071
4      428.50284  10.30551  1.537750   74.70    0.5392    109.026
5     -298.82473   0.20000                                109.089
6      308.22527  11.08859  1.433870   95.10    0.5373    107.618
7     -319.83576   9.00507                                107.234
8      206.78083   7.06825  1.433870   95.10    0.5373    105.276
9      902.40762   0.20000                                104.951
10      165.75914   8.02404  1.433870   95.10    0.5373    103.484
11      654.06410   0.20000                                102.878
12      127.26368   8.35035  1.438750   94.66    0.5340     99.354
13      366.19607    (可変)                                 98.484
14      145.26698   1.00000  1.882997   40.76    0.5667     34.868
15       20.06738   8.38561                                 29.304
16      -71.49829   0.90000  1.816000   46.62    0.5568     29.319
17      143.17100   0.70000                                 29.975
18       64.30732   6.38901  1.808095   22.76    0.6307     31.008
19      -50.80997    (可変)                                 31.148
20      -58.23395   1.50000  1.816000   46.62    0.5568     29.181
21  -1675656.65350    (可変)                                 29.21 
22      -45.23600   1.30000  1.729157   54.68    0.5444     26.086
23       72.15046   3.80394  1.846660   23.78    0.6205     27.647
24    21853.29495    (可変)                                 28.366
25     -222.66178   4.62793  1.607379   56.81    0.5483     36.288
26      -52.20061   0.15000                                 37.081
27      163.22100   4.61915  1.518229   58.90    0.5457     37.988
28     -121.11140    (可変)                                 38.081
29(絞り)   ∞       1.00000                                 37.449
30       40.23219   8.82919  1.487490   70.23    0.5300     36.927
31      -88.68244   1.50000  1.800999   34.97    0.5864     35.946
32      337.95041   0.15000                                 35.024
33       24.49251   7.81710  1.487490   70.23    0.5300     32.871
34      147.58114   1.50000  1.882997   40.76    0.5667     31.076
35       22.56434  39.70000                                 27.576
36      507.25144   5.75009  1.575006   41.50    0.5767     29.737
37      -36.97174   0.20000                                 29.779
38      113.61656   1.20000  1.816000   46.62    0.5568     27.577
39       19.50969   8.03088  1.517417   52.43    0.5564     25.539
40      -93.99984   0.20000                                 25.150
41       26.83452   5.64769  1.496999   81.54    0.5375     23.655
42     -141.82981   1.20000  1.882997   40.76    0.5667     22.222
43       32.89802   1.00000                                 20.831
44       19.84821   2.85682  1.517417   52.43    0.5564     20.398
45       34.69000   3.80000                                 19.635
46        0.00000  33.00000  1.608590   46.44    0.5664     31.250
47        0.00000  13.20000  1.516800   64.17    0.5347     31.250
48        0.00000   0.00000                                 31.250
【００８６】
非球面データ
第21面
K =-6.77371e+015  A 4=-3.77917e-006  A 6=-3.26883e-009  A 8=-1.31120e-011  
各種データ
ズーム比     40.00 
広角     中間     望遠
焦点距離      10.00    65.00   400.00  
Fナンバー      2.10     2.09     4.00  
画角          28.81     4.84     0.79  
像高           5.50     5.50     5.50  
レンズ全長   390.24   390.24   390.24  
BF             8.90     8.90     8.90  
d13            0.48    92.42   121.54  
d19            4.06     8.29     3.80  
d21          123.36    16.81    16.94  
d24           14.95    27.67     1.80  
d28            5.61     3.26     4.37  
d48            8.90     8.90     8.90  
入射瞳位置    72.77   529.32  2342.06  
射出瞳位置  -377.90  -377.90  -377.90  
前側主点位置  82.51   583.40  2328.41  
後側主点位置  -1.10   -56.10  -391.10  
ズームレンズ群データ
群  始面    焦点距離  レンズ構成長  前側主点位置  後側主点位置
1    1     153.00        62.93        38.89         -4.51
2   14     -54.00        17.37        -9.61        -28.95
3   20     -71.01         1.50        -0.00         -0.82
4   22     -68.92         5.10        -0.08         -2.88
5   25      60.94         9.40         4.18         -1.87
6   29      81.82       136.58        65.16        -57.82
【００８７】
<数値実施例８>
単位 mm
面番号      r         d        nd        vd       θgF     有効径   
1    -3219.15445   6.00000  1.834810   42.74    0.5648    210.248 
2      339.26740   5.59717                                203.223 
3      356.24760  23.70767  1.433870   95.10    0.5373    203.057 
4     -871.03373   0.20000                                202.444 
5      467.87855  13.73745  1.433870   95.10    0.5373    195.837 
6    39813.87540  25.96905                                194.406 
7      384.96497  19.32556  1.433870   95.10    0.5373    191.431 
8    -1082.76913   0.25000                                190.992 
9      321.58358  13.50574  1.433870   95.10    0.5373    185.735 
10     1351.63455   1.49946                                184.602 
11      202.07209  13.83704  1.438750   94.66    0.5340    175.517 
12      427.28548    (可変)                                173.802 
13      760.08161   2.20000  2.003300   28.27    0.5980     44.275 
14       39.94114  10.37173                                 38.538 
15      -45.16372   1.40000  1.882997   40.76    0.5667     37.716 
16      119.39260   8.19008  1.922860   18.90    0.6495     38.654 
17      -48.49175   0.80490                                 39.198 
18      -46.39487   1.60000  1.816000   46.62    0.5568     39.269 
19     -169.96654    (可変)                                 41.502 
20      135.90703  15.91651  1.618000   63.33    0.5441     85.297 
21     -142.70113   0.20000                                 85.785 
22      106.01111  14.73798  1.595220   67.74    0.5442     85.496 
23     -310.53242   0.20000                                 84.543 
24      207.22121   2.30000  1.805181   25.42    0.6161     79.343 
25       61.58210  16.54703  1.438750   94.93    0.5340     73.195 
26        0.00000   3.07020                                 71.493 
27    -2129.44793   4.87762  1.603112   60.64    0.5415     70.015 
28     -265.82673    (可変)                                 69.095 
29(絞り)   ∞       2.34389                                 32.240 
30     -131.63184   1.40000  1.882997   40.76    0.5667     31.268 
31       48.80082   5.81685  1.846660   23.78    0.6205     30.188 
32     -604.15816   3.93674                                 29.470 
33      -68.61027   1.85376  1.816000   46.62    0.5568     33.200 
34       91.87822   0.14994                                 33.000 
35       38.45136   4.43200  1.808095   22.76    0.6307     33.400 
36      471.29146   2.54455                                 33.300 
37      -98.12201   1.57966  1.882997   40.76    0.5667     33.200 
38       77.01058   4.99993                                 33.300 
39      -47.95666   2.00000  1.800999   34.97    0.5864     27.096 
40      855.90747   6.40869  1.516330   64.14    0.5353     28.471 
41      -31.49626   0.48845                                 29.545 
42      -73.02060   1.90641  1.647689   33.79    0.5938     29.790 
43     -117.83965   3.89264  1.639999   60.08    0.5370     30.331 
44      -49.24783   2.24785                                 30.857 
45      198.54428  10.14730  1.639999   60.08    0.5370     30.542 
46       56.51148   6.10415                                 29.433 
47     -513.77698   3.28309  1.540720   47.23    0.5651     30.183 
48      -72.97308   3.12464                                 30.457 
49    26485.31295   3.07334  1.834000   37.16    0.5776     30.418 
50       57.52585   5.33615  1.487490   70.23    0.5300     30.392 
51      -76.11088   0.20000                                 30.607 
52      246.77943   5.12050  1.496999   81.54    0.5375     30.573 
53      -41.99755   2.50000  1.882997   40.76    0.5667     30.480 
54      -98.95452   1.18171                                 30.973 
55       70.49015   8.22548  1.518229   58.90    0.5457     30.808 
56      -62.95156  10.00000                                 30.503 
57        0.00000  33.00000  1.608590   46.44    0.5664     60.000 
58        0.00000  13.20000  1.516330   64.15    0.5352     60.000 
59        0.00000   0.00000                                 60.000 
【００８８】
非球面データ
第13面
K =-1.83797e+003  A 4= 1.29958e-006  A 6=-7.74148e-010  A 8= 5.40070e-013  
第21面
K =-9.62897e+000  A 4= 8.42919e-008  A 6= 3.91480e-011  A 8=-5.61496e-015  
第27面
K = 2.66795e+003  A 4= 1.19175e-007  A 6=-1.51584e-010  A 8= 2.81676e-014  
各種データ
ズーム比    120.00 
広角     中間     望遠
焦点距離       8.70   100.00  1044.00  
Fナンバー      1.80     1.80     5.70  
画角          32.30     3.15     0.30  
像高           5.50     5.50     5.50  
レンズ全長   667.84   667.84   667.84  
BF            11.41    11.41    11.41  
d12            2.65   166.32   205.85  
d19          295.51   104.66     1.81  
d28            1.73    28.90    92.23  
d59           11.41    11.41    11.41  
入射瞳位置   130.08  1108.66  13587.09  
射出瞳位置   178.89   178.89    178.89  
前側主点位置 139.23  1268.37  21139.00  
後側主点位置   2.71   -88.59  -1032.59  
ズームレンズ群データ
群  始面    焦点距離  レンズ構成長  前側主点位置  後側主点位置
1    1     261.57       123.63        76.69        -13.64
2   13     -26.00        24.57         3.71        -14.10
3   20      66.00        57.85        10.60        -29.75
4   29      41.67       150.50        56.36         19.08
【００８９】
【表１】
2019148758.tif 000004
【符号の説明】
【００９０】
Ｌ１      第１レンズ群
Ｌ２      第２レンズ群
Ｌ３      第３レンズ群
Ｌ４      第４レンズ群
Ｌ５      第５レンズ群
【図１】
2019148758.tif 000005
【図２】
2019148758.tif 000006
【図３】
2019148758.tif 000007
【図４】
2019148758.tif 000008
【図５】
2019148758.tif 000009
【図６】
2019148758.tif 000010
【図７】
2019148758.tif 000011
【図８】
2019148758.tif 000012
【図９】
2019148758.tif 000013
【図１０】
2019148758.tif 000014
【図１１】
2019148758.tif 000015
【図１２】
2019148758.tif 000016
【図１３】
2019148758.tif 000017
【図１４】
2019148758.tif 000018
【図１５】
2019148758.tif 000019
【図１６】
2019148758.tif 000020
【図１７】
2019148758.tif 000021
【図１８】
2019148758.tif 000022
【図１９】
2019148758.tif 000023